(57)【要約】【課題】新たな部材を設けることなく、撮影中にもかかわらず撮影者が記憶メディアをカメラから抜き出してしまうことのないように、撮影中であることを撮影者がすぐ判断できるデジタルカメラを提供することである。【解決手段】シャッタースピードを自動的に又は、手動にて設定可能としたシャッタースピード設定手段と、撮像素子と、撮像して得られた前記撮像素子からの画像データを装填された記憶メディアへ記憶、又は該記憶メディアに記憶された画像データの読み出しを行う制御手段と、前記記憶メディアへの画像データの記憶又は読み出し中に、前記記憶メディアにアクセスしている状態であることを点灯表示するアクセス表示手段とを持つデジタルカメラにおいて、前記シャッタースピード設定手段によって設定されたシャッタースピードが所定値以上の長秒時、又はバルブ撮影時の、前記撮像素子への撮像中にも前記アクセス表示手段を点灯させたこと。【選択図】　　　図１
2004120074.tif 000002
【特許請求の範囲】
【請求項１】
シャッタースピードを自動的に又は、手動にて設定可能としたシャッタースピード設定手段と、撮像素子と、撮像して得られた前記撮像素子からの画像データを装填された記憶メディアへ記憶、又は該記憶メディアに記憶された画像データの読み出しを行う制御手段と、前記記憶メディアへの画像データの記憶又は読み出し中に、前記記憶メディアにアクセスしている状態であることを点灯表示するアクセス表示手段とを持つデジタルカメラにおいて、前記シャッタースピード設定手段によって設定されたシャッタースピードが所定値以上の長秒時、又はバルブ撮影時の、前記撮像素子への撮像中にも前記アクセス表示手段を点灯させたことを特徴とするデジタルカメラ。
【請求項２】
前記アクセス表示手段による表示は、前記撮像中と撮像後における前記記憶メディアへアクセス中とで、点灯周期が異なることを特徴とする請求項１記載のデジタルカメラ。
【請求項３】
撮像中の前記アクセス表示手段による表示は点滅表示を行い、撮像後の記憶メディアへの書き込み中の表示は点灯表示を行うことを特徴とする請求項１ならびに請求項２記載のデジタルカメラ。
【請求項４】
撮像中と撮像後とで前記アクセス表示手段の点灯色を異ならせることを特徴とする請求項１から請求項３記載のデジタルカメラ。
【請求項５】
撮像素子と、撮像して得られた前記撮像素子からの画像データを装填された記憶メディアへ記憶、又は該記憶メディアに記憶された画像データの読み出しを行う制御手段と、前記記憶メディアへの画像データの記憶又は読み出し中に、前記記憶メディアにアクセスしている状態であることを点灯表示するアクセス表示手段とを持つデジタルカメラにおいて、前記撮像素子の撮像中にも前記アクセス表示手段を点灯表示させたことを特徴とするデジタルカメラ。
【請求項６】
シャッター装置と、前記シャッター装置のシャッタースピードを設定するシャッタースピード設定手段とを有し、前記シャッタースピード設定手段により設定されたシャッタースピードが所定以上の長秒時、又はバブル撮影時の、前記撮像素子への撮像中にも前記アクセス表示手段を点灯させ、前記シャッタースピード設定手段が、前記所定以下の時には前記アクセス表示手段を消灯させたことを特徴とする請求項５のデジタルカメラ。
【発明の詳細な説明】
【０００１】
【発明の属する技術分野】
本発明は、デジタルカメラの表示に関するものである。
【０００２】
【従来の技術】
従来のデジタルカメラでは、長秒時撮影中やバルブ撮影中などの撮影中であることを表示する手段として、外部液晶表示器やファインダー内液晶表示器にて表示し、撮影動作が終了すると、撮影した画像をＣＦ（コンパクトフラッシュ（Ｒ）：以下ＣＦと記す）カードやＭＤ（マイクロドライブ）等の記憶メディアに記憶させる。又、この記憶動作の場合にもＬＥＤ等の表示器を点灯させて、記憶メディアへのアクセス中であることを表示している。
【０００３】
【発明が解決しようとする課題】
しかしながら、リモート撮影やワイヤレス撮影等、カメラから撮影者が離れた位置での撮影や、ファインダーを覗かないで行う撮影のような場合で、撮影後すぐに撮影された画像を確認するために記憶メディアをカメラから取り出して確認しようとした時に、撮影中であることの表示が外部表示器では撮影モードによっては判断し難かったり、カメラの設置位置によってはファインダー内を見れないため、撮影中で記憶メディアにも記憶していない状態で、撮影者が勝手に記憶メディアへの記憶が終了したものと判断し、記憶メディアをカメラから抜き出してしまい、撮影したはずの撮影画像が記憶されていないことに後で気づくことになってしまい、せっかくのシャッターチャンスで撮影したであろう画像の獲得ができないことになってしまう。
【０００４】
（発明の目的）
本発明の目的は、新たな部材を設ける必要がなく、撮影中にもかかわらず撮影者が記憶メディアをカメラから抜き出してしまうことのないように、撮影中であることを撮影者がすぐ判断できるデジタルカメラを提供することである。
【０００５】
【課題を解決するための手段】
上述の目的を達成するために、本発明は、シャッタースピードを自動的に又は、手動にて設定可能としたシャッタースピード設定手段と、撮像素子と、撮像して得られた前記撮像素子からの画像データを装填された記憶メディアへ記憶、又は該記憶メディアに記憶された画像データの読み出しを行う制御手段と、前記記憶メディアへの画像データの記憶又は読み出し中に、前記記憶メディアにアクセスしている状態であることを点灯表示するアクセス表示手段とを持つデジタルカメラにおいて、前記シャッタースピード設定手段によって設定されたシャッタースピードが所定値以上の長秒時、又はバルブ撮影時の、前記撮像素子への撮像中にも前記アクセス表示手段を点灯させたことにある。
【０００６】
前記アクセス表示手段による表示は、前記撮像中と撮像後における前記記憶メディアへアクセス中とで、点灯周期が異なることを特徴としている。
【０００７】
また、撮像中の前記アクセス表示手段による表示は点滅表示を行い、撮像後の記憶メディアへの書き込み中の表示は点灯表示を行うことにある。
【０００８】
また、撮像中と撮像後とで前記アクセス表示手段の点灯色を異ならせることを特徴とするものである。
【０００９】
あるいは又本発明は、撮像素子と、撮像して得られた前記撮像素子からの画像データを装填された記憶メディアへ記憶、又は該記憶メディアに記憶された画像データの読み出しを行う制御手段と、前記記憶メディアへの画像データの記憶又は読み出し中に、前記記憶メディアにアクセスしている状態であることを点灯表示するアクセス表示手段とを持つデジタルカメラにおいて、前記撮像素子の撮像中にも前記アクセス表示手段を点灯表示させたことにある。
【００１０】
このときに又、シャッター装置と、前記シャッター装置のシャッタースピードを設定するシャッタースピード設定手段とを有し、前記シャッタースピード設定手段により設定されたシャッタースピードが所定以上の長秒時、又はバブル撮影時の、前記撮像素子への撮像中にも前記アクセス表示手段を点灯させ、前記シャッタースピード設定手段が、前記所定以下の時には前記アクセス表示手段を消灯させたことを特徴とするものである。
【００１１】
【発明の実施の形態】
（実施例）
以下に、本発明による実施例について図を用いて説明する。
【００１２】
図１は、本発明の概略構成ブロック図である。
【００１３】
図１において、１はシステム制御部であり、後述する撮像部制御回路、メモリ制御部、モータ制御回路、シャッター制御回路、測光回路、焦点検出回路、液晶表示部、画像表示部、操作部と通信を行いシステム全体の制御を行っている。
【００１４】
２は撮像部であり、撮像素子（ＣＣＤ等）等の撮像に関するモジュール群である。３は撮像部制御回路であり、撮像素子（ＣＣＤ等）の駆動等の制御を行う。４は一時記憶領域である前バッファメモリである。５は撮像部２で得られた画像データとその画像情報をもとに画像処理を行う画像処理部である。７は処理された画像を蓄積する後バッファメモリである。
【００１５】
６は前バッファメモリ４と後バッファメモリ７とＣＦ（コンパクトフラッシュ（Ｒ）：以下ＣＦと記す）カードやＭＤ（マイクロドライブ）等の記憶メディア９を制御するメモリ制御部である。８は画像処理後の画像データを後バッファメモリから記憶メディア９に記憶させたり、逆に記憶メディア９から後バッファメモリ７に画像データを読み込むためのインターフェース（Ｉ／Ｆ・制御回路）である。１０はインターフェース８にて、記憶メディア９への画像データの書き込みや、記憶メディア９から画像データを読み込む最中（アクセス中）にＬＥＤ等の表示器を用いて、記憶メディアとのアクセス中であることを表示させるためのアクセス表示部である。
【００１６】
１１は不図示のミラーやシャッターをチャージ等するためのモータを駆動するモータ制御回路である。１２はシステム制御部からの信号に従って、不図示のシャッター装置の先幕やシャッターの後幕を走行させ、撮像素子に被写体からの光を露光させるためのシャッター制御回路である。１３は測光センサーからの出力をシステム制御部に出力するための測光回路である。シャッター制御回路は、測光センサー１３の測光出力に基づいて、シャッタースピード設定手段でもあるシステム制御部によるプログラム演算によって設定されたシャッタースピードや絞り、あるいは、マニュアル操作によって操作設定されたシャッタースピードや絞りに応じて、撮像素子への露光を行うものである。
【００１７】
１４は不図示のフォーカス検出用センサーを蓄積制御、読み出しを行って、フォーカスの画像情報をシステム制御部に出力する。システム制御部は、周知の位相差検出方法等により焦点検出を行い、着脱可能なレンズ内部にある１８のレンズ制御回路と通信を行いレンズの駆動をし、焦点調節を行う。１５はカメラのシャッター秒時、絞り値等の設定表示等やカメラの各種情報を表示する液晶表示部である。１６は撮影された画像を表示するための画像表示部で、画像の他にも液晶表示部で表示されない細かいカメラ情報等を表示している。
【００１８】
１７は図２の各種釦やスイッチ、ダイヤルの検出をしている操作部である。また、図２のシャッター釦２１も操作部に接続されている。１８は不図示の着脱可能なレンズ内部にあるレンズ制御回路で、カメラ内部のシステム制御部からの指示に従い、レンズ内部の焦点調節や絞り駆動を行う。
【００１９】
図２及び、図３は、カメラの上面図と背面図であり、図２中２１はシャッター釦で、このシャッター釦は２段階のストロークスイッチとなっていて、カメラの動作では、この第１ストロークで測光とＡＦ（オートフォーカス処理）を開始し、第２ストロークで実際の露光を行う撮影動作を開始する。
【００２０】
２２はメイン電子ダイヤルで、位相差検出タイプで回転数と回転方向が判る仕組みとなっており、撮影モードや測光モードその他、シャッター秒時等の選択設定が可能となる。２３は図１の液晶表示部の一つである表示パネルで、後述するように、主に露出情報やＡＦ情報等が表示される。２４は表示パネルの照明を行う表示パネル照明釦。２５はシャッター優先ＡＥモードや、プログラム優先ＡＥモード等を選択する撮影モード選択釦。２６はワンショットＡＦかサーボＡＦを選択するＡＦモード選択釦。２７は評価測光や、部分測光等を選択する測光モード選択釦。２８は露出値に補正をかける露出補正釦であり、２５から２８のいずれかの操作釦を押しながら、メイン電子ダイヤルを回転させることにより、各々の選択が可能となっている。
【００２１】
図３中３１はサブ電子ダイヤルで、メイン電子ダイヤル同様に位相差検出タイプで、回転数と回転方向が判る仕組みとなっており、カメラの細部の情報設定や撮影した画像の選択等の選択設定が可能となる。３２は不図示のＣＦカード等の記憶メディアを装填するスロット部を覆うＣＦ蓋であり、ＣＦ蓋開閉つまみ３３を回転させることにより、ＣＦ蓋が開いて記憶メディアの装填及び抜き出しが可能となる。
【００２２】
３４は記憶メディアへの画像データの記憶又は読み出し中に、記憶メディアにアクセスしていることを示すＣＦアクセスランプ（アクセス表示素子）であり、本発明に最も関連する部分である。３５はメインスイッチで、このスイッチをオンにすることで、カメラが起動し撮影可能状態に移行する。３６は図１の液晶表示部の一つである表示パネルで、後述するように、色温度設定や撮影した画像のファイル情報等、主にデジタルカメラ特有の情報が表示される。
【００２３】
３７は図１の画像表示部で、ＴＦＴ表示器が用いられて、撮影した画像の表示や、デジタルカメラ特有の情報設定表示等が表示される。３８から４４はデジタルカメラ特有の情報設定を行うための操作釦であり、メイン電子ダイヤル同様に３８から４４のいずれかの操作釦を押しながら、メイン電子ダイヤルを回転させることにより、各々の選択が可能となっている。本発明において３８から４４の各釦の動作については特に関連しないものであるため、説明は割愛する。
【００２４】
図６はカメラそして、システム制御部１の動作を示すフローチャートであり、図４及び図５は液晶表示器の様子を示す図である。本発明の詳細について、図６のフローチャートと図４及び図５の液晶表示の図を交えながら説明する。
【００２５】
図４は撮影モードがプログラム時の液晶パネル２３の表示状態を示す図で、図４−ａは露光動作前後の表示で、図４−ｂは露光動作中の表示である。図５は撮影モードがマニュアル時の液晶パネルの表示状態を示す図で、図５−ａは液晶パネル１の露光動作中及び露光終了時含めた表示で、図５−ｂは液晶パネル３６の表示状態を示す図である。
【００２６】
図６のスタート＃１００はカメラの設定が完了し、シャッター釦の第１ストロークでオンするＳＷ１の信号待ち、すなわち露光動作への移行待ちとなっている。スタート＃１００以前の撮影モード等の設定で、まず撮影モード選択で撮影モードをプログラムに選択すると、図４−ａの様に表示され、図中４１は撮影モード設定で、プログラム撮影に設定してあることを示すマークが点灯し表示される。又、他の設定モード等も同様に、４２は測光モード設定で、測光モードが評価測光に設定してあることを示すマークである。４３は電池残量表示を示すバッテリーマーク、そして４４は撮影可能コマ数を示し、記憶メディアの残り容量より撮影画像の容量をあらかじめ求めて表示している。
【００２７】
４５はＡＦモード表示で、ＡＦモードがワンショットに設定してあることを示すマーク、４６はドライブモード設定で、１コマ撮影に設定してあることを示すマーク、４７は露出補正レベル表示部で、露出補正量を示すマークがそれぞれ点灯し表示されている。
【００２８】
又、撮影モードがマニュアルに設定されていた場合は、図５−ａのように表示され、図中５１は撮影モード設定でマニュアル撮影モードに設定してあることを示すマークが点灯し表示される。５２は撮影者が任意に設定したシャッタースピードを表示し、ここでは一例として、２秒に設定されたことを示している。５３も同様に撮影者が任意に設定した絞り値を表示し、ここではＦ２．８に設定されたことを示している。その他のモード設定や状態表示については、図４−ａとほぼ同じであるため説明は割愛するが、露出補正量表示のみマニュアル撮影時には表示されない。
【００２９】
図６に戻り、上記のような撮影モードがプログラムモードやマニュアルモードが完了すると、＃１０１のＳＷ１オン待ちを続けている。この状態から、シャッター釦を半押し、すなわちＳＷ１がオンされると、＃１０２で測光、＃１０３で測距によるピンと合わせが行なわれ、＃１０４の表示に移行し、＃１０２での測光演算結果や＃１０３での測距結果等を液晶表示器に表示する。
【００３０】
図４−ｂは撮影モードがプログラムモード時の測光演算結果を表示し、図中４８は測光値を演算し求められたシャッタースピード表示で、ここでは２秒に設定されたことを示し、４９も同様に測光値を演算し求められた絞り値表示で、ここではＦ２．８に設定されたことを示している。撮影モードがマニュアルモードの場合では、シャッタースピードや絞り値に測光演算結果は繁栄されないため、図５−ａからの変化はない。測距結果については、撮影モード差にかかわらず、不図示のファインダー内液晶表示器にて表示される。
【００３１】
この後、図６の＃１０５ではシャッター釦の全押し、すなわちＳＷ２がオンされるのを待ち、オンされるまで＃１０１から＃１０５の動作を繰り返している。＃１０５でＳＷ２のオンを検知すると、本来の撮像素子への露光動作が開始され、＃１０６でミラーアップ、＃１０７でシャッター先幕を制御して、シャッターの開動作が行なわれる。
【００３２】
この後、＃１０９の表示に移行する。ここでの表示は、図５−ｂに示す画像データのファイル番号を１つ増加させる。図５−ｂにおいて、５４はホワイトバランス設定でオートに設定してあることを示すマーク、５５は画像の記録画質設定でロウ、すなわち非圧縮に設定してあることを示すマーク、５６は記憶メディア内に作成された、画像データを格納するフォルダ番号、５７はフォルダ番号５６のフォルダ番号内に格納される画像データのファイル番号である。５８は記憶メディアが装填されているかどうかを示すマークで、ＣＦカード等が装填されているとこのマークが点灯する。前記＃１０９でのファイル番号の１つ増加は、５７のフォルダ番号が１つ増加させることを示し、本例では７１２８が７１２９へと変化する。
【００３３】
続いて、図６の＃１１０にて撮像装置での蓄積制御が開始される。＃１１１では、自動、あるいは手動にて設定されたシャッタースピードが１秒以上の長秒時（あるいはバルブ撮影モード時）であるかどうかを判断し、１秒以上の長秒時中である場合には、＃１１２にてアクセスランプ３４の点滅表示を開始する。＃１１３では、設定されたシャッター秒時になったかどうかを判断し、まだ設定秒時に至らなかった場合には、＃１１２、＃１１３を繰り返し露光終了秒時に達するまで待つ。＃１１１で、シャッタースピード制御が１秒以下の短秒時の場合には、アクセスランプ３４の点滅は行わず、＃１１３へと移行する。これは、１秒以下の短秒時の場合、例えば１秒間隔に５０％でアクセスランプ３４を点滅してもほとんど視認できないからである。
【００３４】
＃１１３で設定されたシャッター秒時に達したと判断されると、＃１１４にて撮像装置の蓄積制御を終了させるとともに、＃１１５にてシャッター後幕を走行させて、シャッターの閉動作を行う。＃１１６では、撮像装置で得られた画像情報に補正を加えたり、記憶メディアに格納するためのデータに変換し、＃１１７にてＣＦカード等の記憶メディアにデータ書き込みを開始する。記憶メディアへのデータ書き込みがスタートすると同時に、アクセスランプ３４を今度は点灯表示に切り替える。＃１１９では、記憶メディアへの書き込みが終了したかを判断し、終了するまで＃１１７から＃１１９を繰り返す。＃１１９にて記憶メディアへの書き込みが終了したと判断すると、＃１２０にてアクセスランプ３４の消灯を行うとともに、＃１２１の表示に移行し、液晶表示器をモード設定時の状態へ変化させる。
【００３５】
＃１２２では、一連の露光動作を終了しとしてリターン処理に入る。＃１２１における表示変化は、撮影モードがプログラムモード時には、図４−ｂから図４−ｂへと変化するが、撮影モードがマニュアルモードの場合には、図５−ａからの変化は無い。すなわち、マニュアル撮影モードの場合には、液晶パネル２３での露光中及び、露光動作前後の変化は確認出来ないということである。
【００３６】
図６に戻り、＃１３０及び＃１３１は＃１００から＃１２２を含むカメラの全シーケンス中においても検知する割り込み処理で、＃１３０はＣＦ蓋の開を検知、＃１３１はバッテリーの容量を検知している。
【００３７】
この割り込みが検知されると、記憶メディアへの書き込み中や読み出し中であった場合は、ＣＦのアクセスを緊急停止し、記憶メディアのシャットダウン処理を行う。これは、例えば記憶メディアがマイクロドライブであった場合には、マイクロドライブ自体が損傷したり、記憶していた撮影データが破壊される恐れがあるための処理である。これらを含め、＃１３３においてもカメラ内のデータ保管や、緊急停止処理を行いパワーダウン等の処理も実施する。
【００３８】
又、マニュアル撮影モードの場合には、液晶パネル２３での露光中及び、露光動作前後の変化は確認出来ないと前述したが、その他の確認方法としては、ファインダー内表示の消灯及びアクセスランプの点灯待ちを確実に行うしかない。但し、リモート撮影やワイヤレス撮影等、カメラから撮影者が離れた位置での撮影や、ファインダーを覗かないで行う撮影のような場合では、この確認方法も無意味となってしまう。
【００３９】
さらに、シャッター秒時が長秒時又はバルブ撮影時の露光中に、＃１３０のような割り込み処理が入った場合、例えば、記憶メディアにも記憶していない状態で、撮影者が勝手に記憶メディアへの記憶が終了したものと判断し、記憶メディアをカメラから抜き出したような場合には、撮影したはずの撮影画像が記憶されていないことに後で気づくことになってしまい、せっかくのシャッターチャンスで撮影したであろう画像の獲得ができないことになってしまう。
【００４０】
本発明の実施形において、撮影中もアクセスランプ３４を点灯表示し、撮影中と記憶メディアへの書き込み中とで点灯周期を変えるようにして、撮影中と記憶メディアへのデータ書き込み中であることを判断できるようにしたが、撮影中と記憶メディアへのデータ書き込み中とで、アクセスランプ３４を例えば２色のＬＥＤ等を用い、表示色を変えることによってさらに撮影者がすぐに判断できるようにしてもよい。
【００４１】
【発明の効果】
以上説明したように、本発明によれば、撮影時（請求項５）、あるいは長秒時撮影やバルブ撮影のような撮影中（請求項１、請求項６）にも、アクセス表示手段の点灯表示を行うことにより、新たな部材を設ける必要がなく、撮影中にもかかわらず撮影者が記憶メディアをカメラから抜き出してしまうことのないように、また撮影中であることを撮影者がすぐ判断できるデジタルカメラを提供することができる。
【００４２】
また、記憶メディアへ書き込み中とは異なるアクセスランプの点灯周期（請求項２、３）としたり、発光色を変えたりして表示（請求項４）するようにしたため、撮影中で記憶メディアにも記憶していない状態で、撮影者が勝手に記憶メディアをカメラから抜き出してしまうような注意を促すことが可能となる。
【００４３】
又、撮影データが完全に記憶メディアに記憶されたことは、アクセスランプが消灯としていた場合に容易に確認が可能となる。
【図面の簡単な説明】
【図１】本発明の概略構成ブロック図
【図２】カメラの上面図
【図３】カメラの背面図
【図４】撮影モードがプログラム時の液晶パネル１の表示状態を示す図
【図５】撮影モードがマニュアル時の液晶パネルの表示状態を示す図
【図６】カメラの動作を示すフローチャート
【符号の説明】
１　システム制御部
２　撮像部
３　撮像部制御回路
４　バッファメモリ１
５　画像処理部
６　メモリ制御部
７　バッファメモリ２
８　インターフェース（Ｉ／Ｆ）
９　記憶メディア
１０　アクセス表示部
１１　モータ制御回路
１２　シャッター制御回路
１３　測光回路
１４　焦点検出回路
１５　液晶表示部
１６　画像表示部
１７　操作部
１８　レンズ制御回路
【図１】
2004120074.tif 000003
【図２】
2004120074.tif 000004
【図３】
2004120074.tif 000005
【図４】
2004120074.tif 000006
【図５】
2004120074.tif 000007
【図６】
2004120074.tif 000008